(57)【要約】【課題】複数の異なる通信方式で通信可能な通信回路において、通信品質の低下を抑える。【解決手段】本発明の一態様に係る通信回路（１００）は、ＦＤＤ方式により全二重通信を行う場合に送信フィルタ（１０３）の濾波する周波数帯域を受信フィルタ（１９４）の濾波する周波数帯域と異ならせ、ＴＤＤ方式により全二重通信を行う場合に送信フィルタ（１０３）の濾波する周波数帯域の少なくとも一部を受信フィルタ（１０４）の濾波する周波数帯域の少なくとも一部と重複させる制御部（１０９）を備えている。【選択図】図１
2015146527.tif 000002
【特許請求の範囲】
【請求項１】
外部へ送信する送信信号を生成する送信部と、
外部から受信する受信信号を処理する受信部と、
上記送信部から供給される上記送信信号を濾波する第１フィルタと、
上記受信信号を濾波する可変フィルタであって濾波した上記受信信号を上記受信部に供給する第２フィルタと、
上記第１フィルタから供給される上記送信信号をアンテナに供給すると共に、上記アンテナを介して外部から受信する上記受信信号を上記第２フィルタに供給するサーキュレータと、
上記第２フィルタの濾波する周波数帯域を制御する制御手段と、を備え、
上記制御手段は、
上記送信信号および上記受信信号の周波数帯域が異なる第１通信方式により全二重通信を行う場合に、上記第２フィルタの濾波する周波数帯域を上記第１フィルタの濾波する周波数帯域と異ならせ、
上記送信信号および上記受信信号の周波数帯域が一致する第２通信方式により全二重通信を行う場合に、上記第２フィルタの濾波する周波数帯域の少なくとも一部を、上記第１フィルタの濾波する周波数帯域の少なくとも一部に重複させる、
ことを特徴とする通信回路。
【請求項２】
上記第１フィルタの濾波する周波数帯域には、上記第１通信方式により全二重通信を行う場合に送信信号に使用される第１周波数帯域と、上記第２通信方式により全二重通信を行う場合に送信信号に使用される第２周波数帯域とが含まれており、
上記制御手段は、上記第２通信方式により全二重通信を行う場合に、上記第２フィルタの濾波する周波数帯域を、上記第２周波数帯域に重複させる、
ことを特徴とする請求項１に記載の通信回路。
【請求項３】
上記制御手段は、上記第２通信方式により全二重通信を行う場合に、上記第２フィルタの濾波する周波数帯域の少なくとも一部を、上記第１フィルタの濾波する周波数帯域の少なくとも一部に重複させ、
上記第１フィルタは、上記第２通信方式により全二重通信を行う場合に、上記第２フィルタの濾波する周波数帯域と重複する周波数帯域を濾波する、
ことを特徴とする請求項１に記載の通信回路。
【請求項４】
上記第１フィルタは可変フィルタであり、
上記制御手段は、上記第２通信方式により全二重通信を行う場合に、上記第１フィルタの濾波する周波数帯域を上記第２フィルタの濾波する周波数帯域を含む範囲まで広げると共に、上記第２フィルタの濾波する周波数帯域を上記第１フィルタの濾波する周波数帯域を含む範囲まで広げることにより、上記第１フィルタ及び上記第２フィルタの濾波する周波数帯域を重複させる、
ことを特徴とする請求項１に記載の通信回路。
【請求項５】
請求項１から４の何れか１項に記載の通信回路を備えている、
ことを特徴とする通信装置。
【発明の詳細な説明】
【技術分野】
【０００１】
本発明は、全二重通信を行う通信回路、及び、そのような通信回路を備える通信装置に関する。
【背景技術】
【０００２】
従来、携帯電話やスマートフォンなどの携帯端末間の無線通信方式として全二重通信（Full Duplex）が広く採用されている。また、全二重通信の方式としては、例えば、ＦＤＤ（周波数分割複信：Frequency Division Duplex）方式、及び、ＴＤＤ（時間分割複信：Time Division Duplex）方式などを挙げることができる。
【０００３】
下掲の特許文献１には、ＴＤＤ方式とＦＤＤ方式とに共用するデュアルモードの無線装置のモード切替に関する技術が開示されている。特許文献１の無線装置について、図７を参照して簡単に説明する。図７は、特許文献１に記載の無線装置の構成を示す回路図である。
【０００４】
図７に示すように、特許文献１に記載の無線装置では、ＴＤＤ方式において、送信信号がサーキュレータ２０の第三端子２６から第一端子２２へ出力され、受信信号がサーキュレータ２０の第一端子２２から第二端子２４へ出力される。また、ＦＤＤ方式において、送信信号がアンテナ共用器１０の送受信端子１４からアンテナ端子１２へ出力され、受信信号がアンテナ共用器１０のアンテナ端子１２から受信端子１６へ出力される。特許文献１では、このように、アンテナ共用器１０及びサーキュレータ２０を用いてＴＤＤ方式とＦＤＤ方式とを切り替える無線装置を実現している。
【先行技術文献】
【特許文献】
【０００５】
【特許文献１】特開２００２−１５２０７９号公報（２００２年５月２４日公開）
【非特許文献】
【０００６】
【非特許文献１】河合邦浩、岡崎浩司、楢橋祥一、「中心周波数および帯域幅を可変とする帯域通過型フィルタ」、信学技報、社団法人電子情報通信学会、２００７年７月、第２００７−３２巻、ｐ．７３−７６
【発明の概要】
【発明が解決しようとする課題】
【０００７】
しかしながら、特許文献１に記載の無線装置のように、複数の異なる通信方式で通信可能になるように構成された無線回路では、受信信号が経由する素子（例えば、フィルタ）が多くなり、受信信号の減衰が大きくなって、通信品質が低下する場合がある。
【０００８】
具体的には、特許文献１に記載の無線装置では、ＴＤＤ方式において、受信信号は、アンテナ共用器１０（帯域通過フィルタ）、サーキュレータ２０、及び、帯域通過フィルタ８２を経由して受信回路５２に入力されることになる。また、ＦＤＤ方式において、受信信号は、アンテナ共用器１０、及び、帯域通過フィルタ８４を経由して受信回路５２に入力されることになる。このように、ＴＤＤ方式及びＦＤＤ方式の何れにおいても、受信信号が２つのフィルタを経由しなければならないため、回路における受信信号減衰が大きい。
【０００９】
本発明は、上記の課題に鑑みてなされたものであり、その主たる目的は、複数の異なる通信方式で通信可能な通信回路において、通信品質の低下を抑えるための技術を提供することにある。
【課題を解決するための手段】
【００１０】
本発明の一態様に係る通信回路は、上記の課題を解決するために、外部へ送信する送信信号を生成する送信部と、外部から受信する受信信号を処理する受信部と、上記送信部から供給される上記送信信号を濾波する第１フィルタと、上記受信信号を濾波する可変フィルタであって濾波した上記受信信号を上記受信部に供給する第２フィルタと、上記第１フィルタから供給される上記送信信号をアンテナに供給すると共に、上記アンテナを介して外部から受信する上記受信信号を上記第２フィルタに供給するサーキュレータと、上記第２フィルタの濾波する周波数帯域を制御する制御手段と、を備え、上記制御手段は、上記送信信号および上記受信信号の周波数帯域が異なる第１通信方式により全二重通信を行う場合に、上記第２フィルタの濾波する周波数帯域を上記第１フィルタの濾波する周波数帯域と異ならせ、上記送信信号および上記受信信号の周波数帯域が一致する第２通信方式により全二重通信を行う場合に、上記第２フィルタの濾波する周波数帯域の少なくとも一部を、上記第１フィルタの濾波する周波数帯域の少なくとも一部に重複させる、ことを特徴としている。
【発明の効果】
【００１１】
本発明の一態様によれば、通信品質の低下を抑えることができる。
【図面の簡単な説明】
【００１２】
【図１】本発明の一実施形態に係る通信回路の要部構成を示す回路図である。
【図２】本発明の一実施形態に係る通信回路においてＦＤＤ方式およびＴＤＤ方式の無線通信を行う場合の、送信周波数帯域及び受信周波数帯域の一例を模式的に示す図である。
【図３】本発明の一実施形態に係る通信回路においてＴＤＤ方式の無線通信を行う場合の可変フィルタの受信周波数帯の変更の一例を模式的に示す図である。
【図４】本発明の一実施形態の変形例に係る通信回路における送信周波数帯域及び受信周波数帯域の一例を模式的に示す図である。
【図５】本発明の他の実施形態に係る通信回路の要部構成を示す回路図である。
【図６】本発明の他の実施形態の変形例に係る通信回路における送信周波数帯域及び受信周波数帯域の一例を模式的に示す図である。
【図７】従来技術に係る無線装置の構成を示す回路図である。
【発明を実施するための形態】
【００１３】
＜実施形態１＞
本発明に係る通信回路の一実施形態について、図１から図３を参照して説明する。但し、この実施形態に記載されている構成は、特に特定的な記載がない限り、この発明の範囲をそれのみに限定する趣旨ではなく、単なる説明例に過ぎない。
【００１４】
なお、本実施形態に係る通信回路１００を備える通信装置としては、例えば、携帯電話、スマートフォン、ＰＨＳなどの移動体通信装置を挙げることができるが、特に限定されるものではない。
【００１５】
〔通信方式の概要〕
まず、本実施形態に係る通信回路１００の通信方式の概要について説明する。
【００１６】
本実施形態に係る通信回路１００は、他の通信装置（通信基地局、他の移動体通信装置など）との間で無線通信を行う。通信回路１００は、全二重通信（Full Duplex）による無線通信（以降、単に「無線通信」とも記載する）を行うことができる。また、全二重通信の方式として、ＦＤＤ（周波数分割複信：Frequency Division Duplex）方式（第１通信方式）、及び、ＴＤＤ（時間分割複信：Time Division Duplex）方式（第２通信方式）を採用している。そして、通信回路１００は、ＴＤＤ方式とＦＤＤ方式とを適宜切り替えて通信を行うことができる。
【００１７】
ここで、ＦＤＤ方式とは、送信信号および受信信号の有する周波数の属する周波数帯域を異ならせることにより、全二重通信を実現する方式である。また、ＴＤＤ方式とは、送信信号および受信信号の有する周波数の属する周波数帯域は同じであって、送信と受信とを時間ごとに切り替えて全二重通信を実現する方式である。
【００１８】
また、以降では、無線通信において利用される周波数帯域のうち、送信に利用される周波数帯域を「送信周波数帯域」とも記載し、受信に利用される周波数帯域を「受信周波数帯域」とも記載する。
【００１９】
〔通信回路の構成〕
次に、本実施形態に係る通信回路１００の構成の概要について、図１を参照して説明する。図１は、本実施形態に係る通信回路１００の要部構成を示す回路図である。図１に示すように、本実施形態に係る通信回路１００は、アンテナ１０１、サーキュレータ１０２、送信フィルタ（第１フィルタ）１０３、受信フィルタ（第２フィルタ）１０４、送信信号増幅器１０５、受信信号増幅器１０６、送信部１０７、受信部１０８、及び、制御部１０９（制御手段）を備えている。
【００２０】
図１に示すように、通信回路１００において、サーキュレータ１０２の端子Ｂはアンテナ１０１に接続され、端子Ａは送信フィルタ１０３の出力端子ａに接続され、端子Ｃは受信フィルタ１０４の第１入力端子ｃに接続されている。また、送信信号増幅器１０５の出力端子は送信フィルタ１０３の入力端子ｂに接続されている。送信信号増幅器１０５の入力端子は送信部１０７に接続されている。受信信号増幅器１０６の入力端子は受信フィルタ１０４の出力端子ｄに接続されている。受信信号増幅器１０６の出力端子は受信部１０８に接続されている。また、受信フィルタ１０４の第２入力端子ｅは制御部１０９に接続されている。なお、受信フィルタ１０４の第２入力端子ｅには、制御部１０９から制御信号が入力される。
【００２１】
通信回路１００を備えた通信装置は、ＴＤＤ方式又はＦＤＤ方式により、外部（他の通信装置）と無線通信を行う。本明細書では、外部から受信した信号を「受信信号」とも記載し、外部に送信する信号を「送信信号」とも記載する。
【００２２】
サーキュレータ１０２は、各端子に入力された信号を一方向（本実施形態では、図１に示す矢印方向（反時計回り方向））にのみ通過させる素子である。具体的には、サーキュレータ１０２の端子Ａに入力される信号は端子Ｂから出力され、端子Ｂに入力される信号は端子Ｃから出力され、端子Ｃに入力される信号は端子Ａから出力される。この構成により、サーキュレータ１０２は、送信フィルタ１０３から端子Ａを介して入力された送信信号を、端子Ｂを介してアンテナ１０１へ出力する。そして、サーキュレータ１０２は、アンテナ１０１から端子Ｂを介して入力された受信信号を、端子Ｃを介して受信フィルタ１０４へ出力する。
【００２３】
送信フィルタ１０３及び受信フィルタ１０４は、所定の周波数帯域以外の周波数成分を減衰させ、所定の周波数帯域の周波数成分のみを選択的に通過させる（本明細書において、「濾波」とも記載する）いわゆる帯域通過型フィルタである。送信フィルタ１０３及び受信フィルタ１０４は、例えば、バンドパスフィルタ、又は、ハイパスフィルタとローパスフィルタとの組み合わせなどによって構成することができるが、本発明では特に限定されない。
【００２４】
送信フィルタ１０３は送信周波数帯域の周波数成分を濾波し、受信フィルタ１０４は受信周波数帯域の周波数成分を濾波する。なお、本実施形態では、受信フィルタ１０４は可変であり、当該受信フィルタ１０４において濾波する周波数帯域の変更（切り替え）は、制御部１０９から入力される制御信号により制御される。
【００２５】
なお、本明細書において、可変フィルタとは、濾波する周波数帯域を変更可能なフィルタを意味する。周波数帯域の変更の様式としては、例えば、（ｉ）濾波する周波数帯域（通過帯域）の帯域幅を変えずに、通過帯域の中心周波数を変化させるものであってもよいし、（ｉｉ）通過帯域の帯域幅を変化させるものであってもよいし、（ｉｉｉ）通過帯域の中心周波数および帯域幅の両方を変化させるものであってもよい。例えば、非特許文献１には、中心周波数および帯域幅を可変とする帯域通過型の可変フィルタが開示されている。
【００２６】
送信信号増幅器１０５は、送信信号を増幅する増幅回路であり、受信信号増幅器１０６は、受信信号を増幅する増幅回路である。送信信号増幅器１０５及び受信信号増幅器１０６は、例えば、オペアンプなどによって構成できるが、本発明はこれに限定されない。
【００２７】
送信部１０７は、通信回路１００の外部に送信する送信信号を生成する送信回路である。受信部１０８は、通信回路１００の外部から受信した受信信号を処理する受信回路である。
【００２８】
制御部１０９は、通信回路１００における通信に関する処理を統合的に制御する制御手段である。また、制御部１０９は、受信フィルタ１０４において濾波する周波数帯域を変更する制御信号を受信フィルタ１０４に出力する。
【００２９】
具体的には、制御部１０９は、ＦＤＤ方式により無線通信（全二重通信）を行う場合に、送信フィルタ１０３および受信フィルタ１０４の濾波する周波数帯域を異ならせるよう、受信フィルタ１０４の濾波する周波数帯域を制御する。そして、制御部１０９は、ＴＤＤ方式により無線通信を行う場合に、送信フィルタ１０３および受信フィルタ１０４の濾波する周波数帯域の少なくとも一部を重複させるように、受信フィルタ１０４の濾波する周波数帯域を制御する。制御の詳細については後述する。
【００３０】
なお、送信部１０７、受信部１０８、及び、制御部１０９は、例えば、集積回路（ＩＣ：Integrated Circuit）、又は、ＣＰＵ（Central Processing Unit）などにより実現されていてもよいが、本発明では特に限定されない。
【００３１】
〔通信回路の動作〕
次に、各々の通信方式（ＴＤＤ方式およびＦＤＤ方式）における通信回路１００の動作について、図２及び図３を参照して説明する。図２は、本実施形態に係る通信回路１００においてＦＤＤ方式およびＴＤＤ方式の無線通信を行う場合の、送信周波数帯域及び受信周波数帯域の一例を模式的に示す図である。また、図３は、本実施形態に係る通信回路１００においてＴＤＤ方式の無線通信を行う場合の可変フィルタの受信周波数帯の変更の一例を模式的に示す図である。
【００３２】
図２に示すように、本実施形態に係る通信回路１００においては、送信フィルタ１０３が濾波する送信周波数帯域はｆ１（例えば、１９２０ＭＨｚ）〜ｆ６（例えば、２０２５ＭＨｚ）であり、ＦＤＤ方式の無線通信を行う場合に使用される送信周波数帯域ｆ１〜ｆ２（例えば、１９８０ＭＨｚ）（ＦＤＤ  ＴＸ）と、ＴＤＤ方式の無線通信を行う場合に使用される送信周波数帯域ｆ５（例えば、２０１０ＭＨｚ）〜ｆ６（例えば、２０２５ＭＨｚ）（ＴＤＤ  ＴＲＸ）とを含んでいる。つまり、送信フィルタ１０３の濾波する周波数帯域には、ＦＤＤ方式の無線通信を行う場合に送信信号に使用される送信周波数帯域（第１周波数帯域）と、ＴＤＤ方式の無線通信を行う場合に送信信号に使用される送信周波数帯域（第２周波数帯域）とが含まれている。
【００３３】
また、図２に示すように、通信回路１００がＦＤＤ方式の無線通信を行う場合に受信フィルタ１０４が濾波する受信周波数帯域は、ｆ３（例えば、２１１０ＭＨｚ）〜ｆ４（例えば、２１７０ＭＨｚ）（ＦＤＤ  ＲＸ）である。なお、本明細書に記載の周波数帯域の具体的な数値は、説明の明確化のための一例であって、これらに限定されるものではない。
【００３４】
そして、通信回路１００においてＴＤＤ方式の無線通信が行われる場合、制御部１０９は、受信フィルタ１０４の濾波する受信周波数帯域が図３に示すようにｆ５〜ｆ６となるよう、受信フィルタ１０４を制御する。換言すれば、制御部１０９は、ＴＤＤ方式の無線通信を行う場合に、受信フィルタ１０４の濾波する受信周波数帯域を、ＴＤＤ方式の無線通信を行う場合に送信フィルタ１０３の濾波する送信周波数帯域に重複（一致）させる。
【００３５】
つまり、通信回路１００における無線通信方式がＦＤＤ方式からＴＤＤ方式に切り替えられる場合、受信フィルタ１０４の濾波する受信周波数帯域は、制御部１０９により図３に示すようにｆ５〜ｆ６に変更（移動）される（切り替えられる）。そして、ＴＤＤ方式からＦＤＤ方式に切り替えられる場合には、受信フィルタ１０４の濾波する受信周波数帯域は、制御部１０９により図２に示すようにｆ３〜ｆ４に変更されることになる。
【００３６】
このように、通信回路１００は、信号の送信および受信を異なる周波数帯域で行うＦＤＤ方式の無線通信を行う場合に、受信周波数帯域を送信周波数帯域と異なる帯域に設定することができる。また、通信回路１００は、信号の送信および受信を共通の周波数帯域で行うＴＤＤ方式の無線通信を行う場合には、受信周波数帯域をＴＤＤ方式において利用する送信周波数帯域と同じ帯域にすることができる。
【００３７】
これにより、通信回路１００は、１つの回路でＦＤＤ方式の無線通信、及び、ＴＤＤ方式の無線通信を切り替えて実行可能なデュアルモードの通信回路を実現することができる。また、通信装置は、通信回路１００を備えることにより、デュアルモードの通信装置を実現することができる。
【００３８】
上述の構成によれば、本実施形態に係る通信回路１００では、ＦＤＤ方式及びＴＤＤ方式の何れにおいても、受信信号は、図１に示すように、サーキュレータ１０２、受信フィルタ１０４、及び、受信信号増幅器１０６を経由して受信部１０８に入力される。すなわち、受信信号は、受信部１０８に入力されるまでに通信回路１００においてフィルタ（受信フィルタ１０４）を１度だけ経由すればよい。
【００３９】
したがって、通信回路１００及び当該通信回路１００を備える通信装置は、従来技術と比較して回路における受信信号の減衰を低減することができるため、受信効率を向上させ、通信品質を向上させることがきる。
【００４０】
また、通信回路１００によれば、従来技術と比較して、回路を構成する素子数を削減することができ、通信回路１００の小型化を図ることができる。
【００４１】
＜変形例＞
本実施形態では、送信フィルタ１０３の濾波する送信周波数帯域に、ＦＤＤ方式の無線通信を行う場合に用いられる送信周波数帯域と、ＴＤＤ方式の無線通信を行う場合に用いられる送信周波数帯域とが含まれている構成を例に挙げて説明したが、これに限定されるものではない。
【００４２】
本実施形態の変形例について、図４を参照して説明する。図４は、本実施形態の変形例に係る通信回路における送信周波数帯域及び受信周波数帯域の一例を模式的に示す図である。図４（ａ）は、ＦＤＤ方式の無線通信を行う場合の、送信周波数帯域及び受信周波数帯域の一例を模式的に示し、（ｂ）は、ＴＤＤ方式の無線通信を行う場合の、送信周波数帯域及び受信周波数帯域の一例を模式的に示している。
【００４３】
図４（ａ）に示すように、本変形例に係る通信回路１００においては、ＦＤＤ方式の無線通信を行う場合に送信フィルタ１０３が濾波する送信周波数帯域としてｆ１〜ｆ２が設定されており、後述するように、ＴＤＤ方式の無線通信を行う場合には送信フィルタ１０３が濾波する送信周波数帯域としてｆ１〜ｆ２の一部の周波数帯域が使用される。また、ＦＤＤ方式の無線通信を行う場合に受信フィルタ１０４が濾波する受信周波数帯域としてｆ３〜ｆ４が設定されている。
【００４４】
また、制御部１０９は、通信回路１００においてＴＤＤ方式の無線通信が行われる場合、受信フィルタ１０４の濾波する受信周波数帯域の少なくとも一部を、図４（ｂ）に示すように、ｆ１〜ｆ２の少なくとも一部に重複するようにｆ７〜ｆ８に変更する。換言すれば、制御部１０９は、ＴＤＤ方式の無線通信を行う場合に、ＴＤＤ方式の無線通信を行う場合に受信フィルタ１０４の濾波する受信周波数帯域を、ＦＤＤ方式の無線通信を行う場合に送信フィルタ１０３の濾波する送信周波数帯域の一部に重複させる。
【００４５】
そして、送信フィルタ１０３及び受信フィルタ１０４は、上述のようにして重複することとなった周波数帯域（図４（ｂ）に示す周波数帯域ｆ７〜ｆ２）を、ＴＤＤ方式の無線通信を行う場合に濾波する周波数帯域とする。
【００４６】
このように、受信フィルタ１０４を可変フィルタとすることにより、制御部１０９は、ＴＤＤ方式の無線通信を行う際に、受信フィルタ１０４の濾波する受信周波数帯域を、送信フィルタ１０３の濾波する送信周波数帯域に重複させて、当該重複した送信周波数帯域においてＴＤＤ方式の送信および受信を行うことができる。
【００４７】
そして、本変形例においても、通信回路１００では、ＦＤＤ方式及びＴＤＤ方式の何れにおいても、受信信号は、受信部１０８に入力されるまでに通信回路１００においてフィルタ（受信フィルタ１０４）を１度だけ経由すればよい。これにより、通信回路１００及び当該通信回路１００を備える通信装置は、従来技術と比較して回路における受信信号の減衰を低減することができるため、受信効率を向上させ、通信品質を向上させることがきる。
【００４８】
また、本変形例においても、通信回路１００によれば、従来技術と比較して、回路を構成する素子数を削減することができ、通信回路１００の小型化を図ることができる。
【００４９】
＜実施形態２＞
実施形態１では、受信フィルタ１０４を可変フィルタとする構成を例に挙げて説明したが、本発明はこれに限定されるものではなく、例えば、更に送信フィルタ１０３を可変フィルタとする構成を採用することもできる。
【００５０】
本実施形態に係る通信回路２００について、図５及び図６を参照して説明する。なお、本実施形態では、説明の便宜上、実施形態１に係る通信回路１００と同様の機能を有する構成要素については同一の符号を付し、その説明を省略する。本実施形態では、主に、実施形態１との相違点について説明するものとする。
【００５１】
〔通信回路の構成〕
まず、本実施形態に係る通信回路２００の要部構成について、図５を参照して説明する。図５は、本実施形態に係る通信回路２００の要部構成を示す回路図である。図５に示すように、本実施形態に係る通信回路２００は、実施形態１に係る通信回路１００の備える送信フィルタ１０３及び制御部１０９に代えて、送信フィルタ２０３（第１フィルタ）及び制御部２０９（制御手段）を備えていること以外は、実施形態１に係る通信回路１００と同様の構成である。
【００５２】
送信フィルタ２０３は、所定の周波数帯域以外の周波数成分を減衰させ、所定の周波数帯域の周波数成分のみを選択的に通過させる（濾波する）いわゆる帯域通過型フィルタである。送信フィルタ２０３は可変であり、当該送信フィルタ２０３において濾波する周波数帯域の変更（切り替え）は、制御部２０９から入力される制御信号により制御される。
【００５３】
送信フィルタ２０３の出力端子ｇはサーキュレータ１０２の端子Ａに接続され、第１入力端子ｈは送信信号増幅器１０５の出力端子に接続され、第２入力端子ｉは制御部２０９に接続されている。なお、第２入力端子ｉには、制御部２０９から制御信号が入力される。
【００５４】
制御部２０９は、通信回路２００における通信に関する処理を統合的に制御する制御手段である。また、制御部２０９は、送信フィルタ２０３及び受信フィルタ１０４において濾波する周波数帯域を変更する制御信号を、送信フィルタ２０３及び受信フィルタ１０４に出力する。
【００５５】
〔通信回路の動作〕
次に、各々の通信方式（ＴＤＤ方式およびＦＤＤ方式）における通信回路２００の動作について、図６を参照して説明する。図６は、本実施形態の変形例に係る通信回路における送信周波数帯域及び受信周波数帯域の一例を模式的に示す図である。図６（ａ）は、ＦＤＤ方式の無線通信を行う場合の、送信周波数帯域及び受信周波数帯域の一例を模式的に示し、（ｂ）は、ＴＤＤ方式の無線通信を行う場合の、送信周波数帯域及び受信周波数帯域の一例を模式的に示している。
【００５６】
図６（ａ）に示すように、本実施形態に係る通信回路２００においては、ＦＤＤ方式の無線通信を行う場合に送信フィルタ２０３が濾波する送信周波数帯域としてｆ１〜ｆ２が設定されており、受信フィルタ１０４が濾波する受信周波数帯域としてｆ３〜ｆ４が設定されている。
【００５７】
そして、制御部２０９は、通信回路２００においてＴＤＤ方式の無線通信が行われる場合、送信フィルタ２０３の濾波する送信周波数帯域を受信フィルタ１０４の濾波する受信周波数帯域を含む範囲まで広げるよう、送信フィルタ２０３を制御する。また、制御部１０９は、受信フィルタ１０４の濾波する受信周波数帯域を送信フィルタ２０３の濾波する送信周波数帯域を含む範囲まで広げるよう、受信フィルタ１０４を制御することにより、送信フィルタ２０３及び受信フィルタ１０４の濾波する周波数帯域を重複させる。
【００５８】
本実施形態では、制御部２０９は、送信フィルタ２０３の濾波する送信周波数帯域の上限を、受信フィルタ１０４の濾波する受信周波数帯の上限と同じｆ４まで広げる。また、受信フィルタ１０４の濾波する受信周波数帯の下限を、送信フィルタ２０３の濾波する送信周波数帯域の下限と同じｆ１まで広げる。
【００５９】
これにより、通信回路２００においてＴＤＤ方式の無線通信が行われる場合に、送信フィルタ２０３の濾波する送信周波数帯域と、受信フィルタ１０４の濾波する受信周波数帯域とが、重複（本実施形態では、一致）することになる。したがって、通信回路２００は、ＴＤＤ方式の無線通信を行う場合に、制御部２０９が一致させた範囲の周波数帯域を使用して送信および受信を行うことができる。
【００６０】
そして、本実施形態においても、通信回路２００では、ＦＤＤ方式及びＴＤＤ方式の何れにおいても、受信信号は、受信部１０８に入力されるまでに通信回路２００においてフィルタ（受信フィルタ１０４）を１度だけ経由すればよい。これにより、通信回路２００及び当該通信回路２００を備える通信装置は、従来技術と比較して回路における受信信号の減衰を低減することができるため、受信効率を向上させ、通信品質を向上させることがきる。
【００６１】
また、本実施形態においても、通信回路２００によれば、従来技術に比較して、回路を構成する素子数を削減することができ、通信回路２００の小型化を図ることができる。
【００６２】
＜ソフトウェアによる実現例＞
通信回路１００、２００の制御ブロック（特に送信部１０７、受信部１０８、制御部１０９、２０９）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、通信回路１００、２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６４】
〔まとめ〕
本発明の態様１に係る通信回路（通信回路１００、２００）は、外部へ送信する送信信号を生成する送信部（送信部１０７）と、外部から受信する受信信号を処理する受信部（受信部１０８）と、上記送信部から供給される上記送信信号を濾波する第１フィルタ（送信フィルタ１０３、２０３）と、上記受信信号を濾波する可変フィルタであって濾波した上記受信信号を上記受信部に供給する第２フィルタ（受信フィルタ１０４）と、上記第１フィルタから供給される上記送信信号をアンテナに供給すると共に、上記アンテナを介して外部から受信する上記受信信号を上記第２フィルタに供給するサーキュレータ（サーキュレータ１０２）と、上記第２フィルタの濾波する周波数帯域を制御する制御手段（制御部１０９、２０９）と、を備え、上記制御手段は、上記送信信号および上記受信信号の周波数帯域が異なる第１通信方式（ＦＤＤ方式）により全二重通信を行う場合に、上記第２フィルタの濾波する周波数帯域を上記第１フィルタの濾波する周波数帯域と異ならせ、上記送信信号および上記受信信号の周波数帯域が一致する第２通信方式（ＴＤＤ方式）により全二重通信を行う場合に、上記第２フィルタの濾波する周波数帯域の少なくとも一部を、上記第１フィルタの濾波する周波数帯域の少なくとも一部に重複させる、ことを特徴としている。
【００６５】
上記の構成によれば、上記制御手段は、上記第１通信方式により全二重通信を行う場合に上記第１及び第２フィルタの濾波する周波数帯域を各々異ならせ、上記第２通信方式により全二重通信を行う場合に上記第１及び第２フィルタの濾波する周波数帯域の少なくとも一部を重複させる。ゆえに、上記通信回路は、上記第１通信方式により全二重通信を行う場合には、上記第１及び第２フィルタが濾波する互いに異なる周波数帯域を利用して、上記送信信号の送信及び上記受信信号の受信を行えばよい。また、上記通信回路は、上記第２通信方式により全二重通信を行う場合には、上記第１及び第２フィルタがそれぞれ濾波する周波数帯域において重複している周波数帯域を利用して、上記送信信号の送信及び上記受信信号の受信を行えばよい。これにより、複数の異なる通信方式で通信可能な通信回路を実現することができる。
【００６６】
そして、上記の構成によれば、２つの通信方式の何れにおいても、上記受信信号は、上記通信回路においてフィルタを１度だけ経由すればよい。したがって、上記通信回路は、受信信号が少なくとも２つのフィルタを経由しなければならなかった従来技術と比較して回路における受信信号の減衰を低減することができるため、受信効率を向上させ、通信品質の低下を抑えることがきる。
【００６７】
本発明の態様２に係る通信回路（通信回路１００）は、上記態様１において、上記第１フィルタ（送信フィルタ１０３）の濾波する周波数帯域には、上記第１通信方式により全二重通信を行う場合に送信信号に使用される第１周波数帯域と、上記第２通信方式により全二重通信を行う場合に送信信号に使用される第２周波数帯域とが含まれており、上記制御手段（制御部１０９）は、上記第２通信方式により全二重通信を行う場合に、上記第２フィルタの濾波する周波数帯域を、上記第２周波数帯域に重複させてもよい。
【００６８】
上記の構成によれば、複数の異なる通信方式で通信可能な通信回路を好適に実現することができる。
【００６９】
本発明の態様３に係る通信回路（通信回路１００）における上記制御手段（制御部１０９）は、上記態様１において、上記第２通信方式により全二重通信を行う場合に、上記第２フィルタの濾波する周波数帯域の少なくとも一部を、上記第１フィルタの濾波する周波数帯域の少なくとも一部に重複させ、上記第１フィルタ（送信フィルタ１０３）は、上記第２通信方式により全二重通信を行う場合に、上記第２フィルタの濾波する周波数帯域と重複する周波数帯域を濾波してもよい。
【００７０】
上記の構成によれば、複数の異なる通信方式で通信可能な通信回路を好適に実現することができる。
【００７１】
本発明の態様４に係る通信回路（通信回路２００）における上記第１フィルタ（送信フィルタ２０３）は、上記態様１において、可変フィルタであり、上記制御手段（制御部２０９）は、上記第２通信方式により全二重通信を行う場合に、上記第１フィルタの濾波する周波数帯域を上記第２フィルタの濾波する周波数帯域を含む範囲まで広げると共に、上記第２フィルタの濾波する周波数帯域を上記第１フィルタの濾波する周波数帯域を含む範囲まで広げることにより、上記第１フィルタ及び上記第２フィルタの濾波する周波数帯域を重複させてもよい。
【００７２】
上記の構成によれば、複数の異なる通信方式で通信可能な通信回路を好適に実現することができる。さらに、ＦＤＤ方式において割り当てられている送信周波数帯域および受信用周波数帯域のすべての帯域をＴＤＤ方式においても使用することができるため、効率の良い全二重通信を実現できる。
【００７３】
本発明の態様５に係る通信回路における上記第１通信方式は、上記態様１から４において、周波数分割複信（ＦＤＤ）により全二重通信を行う通信方式であり、上記第２通信方式は、時間分割複信（ＴＤＤ）により全二重通信を行う通信方式であってもよい。
【００７４】
上記の構成によれば、周波数分割複信および時間分割複信で通信可能な通信回路を好適に実現することができる。
【００７５】
本発明の態様６に係る通信装置は、上記態様１から５に記載の通信回路を備えていてもよい。
【００７６】
上記の構成によれば、上記通信装置は、上記通信回路と同様の効果を奏することができる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７８】
本発明は、全二重通信を行う通信回路、及び、全二重通信を行う携帯電話、スマートフォン及びＰＨＳなどの通信装置などに好適に利用することができる。
【符号の説明】
【００７９】
１００、２００：通信回路、１０１：アンテナ、１０２：サーキュレータ、１０３、２０３：送信フィルタ（第１フィルタ）、１０４：受信フィルタ（第２フィルタ）、１０５：送信信号増幅器、１０６：受信信号増幅器、１０７：送信部、１０８：受信部、１０９、２０９：制御部（制御手段）
【図１】
2015146527.tif 000003
【図２】
2015146527.tif 000004
【図３】
2015146527.tif 000005
【図４】
2015146527.tif 000006
【図５】
2015146527.tif 000007
【図６】
2015146527.tif 000008
【図７】
2015146527.tif 000009